(57)【要約】【課題】  第１のディスク状記録媒体に記録された情報を第２のディスク状記録媒体にコピーした際に、コピーした情報が前記第２のディスク状記録媒体で適切に再生されるようにする。【解決手段】  再生側のディスクレコーダ１００は、ユーザにより選択されたプレイリストに対応するコピー元のディスク１ａのデータを、コピー先のディスクの全く同じ位置にコピーすることが可能であるか否かを、記録側のディスクレコーダ１０１に装着されているコピー先のディスクの空き容量に基づいて確認し、コピーすることが可能であれば、記録側のディスクレコーダ１０１に、ディスク上の記録位置を指定する記録制御コマンドと、コピー元のディスク１ａに記録されているデータとを送信する。これにより、コピー元のディスク１ａとコピー先のディスク１ｂとで記録位置が全く同じになるようにコンテンツが記録される。【選択図】  図８
2005190635.tif 000002
【特許請求の範囲】
【請求項１】
第一のディスク状記録媒体に対して情報データの記録と再生とを行う記録再生手段と、
前記第一のディスク状記録媒体から再生された情報データを、外部機器により第二のディスク状記録媒体に記録すべく、前記外部機器に対して前記再生された情報データを出力する外部インターフェイスと、
前記第一のディスク状記録媒体に記録された情報データを前記外部機器に出力して、前記第二のディスク状記録媒体にコピーするコピーモードにおいて、前記コピーすべき情報データが記録されている前記第一のディスク状記録媒体の物理的な記録位置と同様の前記第二のディスク状記録媒体における記録位置に、前記コピーすべき情報データを記録するよう、前記記録再生手段と前記外部機器とを制御する制御手段とを備えることを特徴とする記録再生装置。
【請求項２】
前記制御手段は、前記第一のディスク状記録媒体に記録された複数のコンテンツの情報データのうち、ユーザにより選択されたコンテンツの情報データのみを、前記第一のディスク状記録媒体から再生するよう前記記録再生手段を制御することを特徴とする請求項１に記載の記録再生装置。
【請求項３】
前記制御手段は、それぞれが少なくとも一つのコンテンツを含む複数のグループから、前記第二のディスク状記録媒体にコピーすべきグループを、ユーザに選択させるようにするための選択手段を備え、
前記選択手段により選択されたグループに含まれているコンテンツの情報データのみを再生するよう前記記録再生手段を制御することを特徴とする請求項２に記載の記録再生装置。
【請求項４】
前記制御手段は、前記第一のディスク状記録媒体に記録された、前記複数のグループのそれぞれに含まれるコンテンツの情報データの再生手順を示す管理情報に基づいて、前記コピーすべきグループのコンテンツを決定することを特徴とする請求項３に記載の記録再生装置。
【請求項５】
前記制御手段は、前記複数のグループのそれぞれに含まれるコンテンツ毎のコピーを禁止することを特徴とする請求項３又は４に記載の記録再生装置。
【請求項６】
前記制御手段は、前記第二のディスク状記録媒体にコピーすることが可能なグループに関する情報を表示装置に表示させるようにすることを特徴とする請求項３〜５の何れか１項に記載の記録再生装置。
【請求項７】
前記制御手段は、前記第一のディスク状記録媒体の物理的な記録位置と同様の前記第二のディスク状記録媒体における記録位置に、前記コピーすべき複数のコンテンツの情報データを記録することができない場合、前記複数のコンテンツの情報データの、前記第一のディスク状記録媒体における相対的な記録位置を保持したまま、前記コピーすべき複数のコンテンツの情報データを、前記第二のディスク状記録媒体における他の記録位置に記録するよう前記外部機器を制御することを特徴とする請求項２〜６の何れか１項に記載の記録再生装置。
【請求項８】
前記制御手段は、前記第二のディスク状記録媒体に対する前記情報データの記録とその記録位置とを制御するための制御データを生成し、生成した制御データを、前記外部インターフェイスから前記外部機器に出力させるようにすることを特徴とする請求項１〜７の何れか１項に記載の記録再生装置。
【請求項９】
前記情報データは、符号化された画像データを含み、
前記外部インターフェイスは、前記画像データを符号化された状態で前記外部機器に出力することを特徴とする請求項１〜８の何れか１項に記載の記録再生装置。
【請求項１０】
前記記録再生手段は、前記第一のディスク状記録媒体に、主記録領域と、それに関連付けられる副記録領域とを設けて前記情報データの記録と再生とを行い、
前記副記録領域は、前記主記録領域に対する情報データの記録が終了した後に、前記主記録領域に記録された情報データに関連した情報データを記録するためのアフレコ領域であることを特徴とする請求項１〜９の何れか１項に記載の記録再生装置。
【請求項１１】
前記主記録領域と副記録領域は、前記第一のディスク状記録媒体の複数のトラックにおいて交互に配置され、互いに所定の位置関係を有することを特徴とする請求項１０に記載の記録再生装置。
【請求項１２】
前記制御手段は、前記第一のディスク状記録媒体の物理的な記録位置と同様の前記第二のディスク状記録媒体における記録位置に、前記コピーすべき情報データを記録することができない場合、前記第二のディスク状記録媒体における他の記録位置に、前記コピーすべき情報データを記録するよう前記外部機器を制御することを特徴とする請求項１に記載の記録再生装置。
【請求項１３】
前記制御手段は、前記第二のディスク状記録媒体におけるデータの記録状態を検出し、この第二のディスク状記録媒体における情報データの記録状態に基づいて、前記第一のディスク状記録媒体の物理的な記録位置と同様の前記第二のディスク状記録媒体における記録位置に、前記コピーすべき情報データを記録することができるか否かを判別することを特徴とする請求項１〜１２の何れか１項に記載の記録再生装置。
【請求項１４】
前記制御手段は、前記外部インターフェイスを介して前記第二のディスク状記録媒体における情報データの記録状態に関する情報を得ることを特徴とする請求項１３に記載の記録再生装置。
【請求項１５】
第一のディスク状記録媒体に対して、複数のコンテンツの情報データの記録と再生とを行う記録再生手段と、
前記第一のディスク状記録媒体から再生された情報データを、外部機器により第二のディスク状記録媒体に記録すべく、前記外部機器に対して前記再生された情報データを出力する外部インターフェイスと、
前記第一のディスク状記録媒体に記録された複数のコンテンツのうち、前記複数のコンテンツの再生手順を示す管理情報にて指定されたコンテンツの情報データを、前記外部機器に出力して前記第二のディスク状記録媒体にコピーするコピーモードにおいて、前記管理情報にて指定されたコンテンツの情報データが記録されている前記第一のディスク状記録媒体の物理的な記録位置と同様の前記第二のディスク状記録媒体における記録位置に、前記管理情報にて指定されたコンテンツの情報データを記録するよう、前記記録再生手段と前記外部機器とを制御する制御手段とを備えることを特徴とする記録再生装置。
【請求項１６】
第一のディスク状記録媒体に対して、複数のコンテンツの情報データの記録と再生とを行う記録再生手段と、
前記第一のディスク状記録媒体から再生された情報データを、外部機器により第二のディスク状記録媒体に記録すべく、前記外部機器に対して前記再生された情報データを出力する外部インターフェイスと、
前記第一のディスク状記録媒体に記録された複数のコンテンツのうち、前記複数のコンテンツの再生手順を示す管理情報にて指定されたコンテンツの情報データを、前記外部機器に出力して前記第二のディスク状記録媒体にするコピーモードにおいて、前記管理情報にて指定された複数のコンテンツの情報データの、前記第一のディスク状記録媒体における相対的な記録位置を保持したまま、前記管理情報にて指定された複数のコンテンツの情報データを、前記第二のディスク状記録媒体に記録するよう、前記記録再生手段と前記外部機器とを制御する制御手段とを備えることを特徴とする記録再生装置。
【請求項１７】
前記請求項１〜１６の何れか１項に記載の記録再生装置と、
前記記録再生装置から出力された情報データを、前記記録再生装置による制御に従って、前記第二のディスク状記録媒体に記録する第２の記録再生装置とを備えることを特徴とする情報記録再生システム。
【請求項１８】
第一のディスク状記録媒体に対して情報データの記録と再生とを行う記録再生手段と、前記第一のディスク状記録媒体に記録されている情報データの出力先である外部機器とを制御する制御ステップと、
前記制御ステップによる前記記録再生手段の制御により、前記第一のディスク状記録媒体から再生された情報データを、前記外部機器により第二のディスク状記録媒体に記録すべく、前記外部機器に対して前記再生された情報データを出力する情報出力ステップとを備え、
前記制御ステップは、前記情報出力ステップにより、前記第一のディスク状記録媒体に記録された情報データを前記外部機器に出力して、前記第二のディスク状記録媒体にコピーするに際し、前記コピーすべき情報データが記録されている前記第一のディスク状記録媒体の物理的な記録位置と同様の前記第二のディスク状記録媒体における記録位置に、前記コピーすべき情報データを記録するよう、前記記録再生手段と前記外部機器とを制御することを特徴とする情報記録再生方法。
【請求項１９】
前記制御ステップは、前記第一のディスク状記録媒体に記録された複数のコンテンツの情報データのうち、ユーザにより選択されたコンテンツの情報データのみを、前記第一のディスク状記録媒体から再生するよう前記記録再生手段を制御することを特徴とする請求項１８に記載の情報記録再生方法。
【請求項２０】
前記制御ステップは、それぞれが少なくとも一つのコンテンツを含む複数のグループから、前記第二のディスク状記録媒体にコピーすべきグループを、ユーザに選択させるようにする選択ステップを備え、
前記選択ステップにより選択されたグループに含まれているコンテンツの情報データのみを再生するよう前記記録再生手段を制御することを特徴とする請求項１９に記載の情報記録再生方法。
【請求項２１】
前記制御ステップは、前記第一のディスク状記録媒体に記録された、前記複数のグループのそれぞれに含まれるコンテンツの情報データの再生手順を示す管理情報に基づいて、前記コピーすべきグループのコンテンツを決定することを特徴とする請求項２０に記載の情報記録再生方法。
【請求項２２】
前記制御ステップは、前記複数のグループのそれぞれに含まれるコンテンツ毎のコピーを禁止することを特徴とする請求項２０又は２１に記載の情報記録再生方法。
【請求項２３】
前記制御ステップは、前記第二のディスク状記録媒体にコピーすることが可能なグループに関する情報を表示装置に表示させるようにすることを特徴とする請求項２０〜２２の何れか１項に記載の情報記録再生方法。
【請求項２４】
前記制御ステップは、前記第一のディスク状記録媒体の物理的な記録位置と同様の前記第二のディスク状記録媒体における記録位置に、前記コピーすべき複数のコンテンツの情報データを記録することができない場合、前記複数のコンテンツの情報データの、前記第一のディスク状記録媒体における相対的な記録位置を保持したまま、前記コピーすべき複数のコンテンツの情報データを、前記第二のディスク状記録媒体における他の記録位置に記録するよう前記外部機器を制御することを特徴とする請求項１９〜２３の何れか１項に記載の情報記録再生方法。
【請求項２５】
前記制御ステップは、前記第二のディスク状記録媒体に対する前記情報データの記録とその記録位置とを制御するための制御データを生成し、
前記情報出力ステップは、前記制御データを前記外部機器に出力することを特徴とする請求項１８〜２４の何れか１項に記載の情報記録再生方法。
【請求項２６】
前記情報データは、符号化された画像データを含み、
前記情報出力ステップは、前記画像データを符号化された状態で前記外部機器に出力することを特徴とする請求項１８〜２５の何れか１項に記載の情報記録再生方法。
【請求項２７】
前記制御ステップは、前記記録再生手段を制御して、前記第一のディスク状記録媒体に、主記録領域と、それに関連付けられる副記録領域とを設けて、前記情報データの記録と再生とを行い、
前記副記録領域は、前記主記録領域に対する情報データの記録が終了した後に、前記主記録領域に記録された情報データに関連した情報データを記録するためのアフレコ領域であることを特徴とする請求項１８〜２６の何れか１項に記載の情報記録再生方法。
【請求項２８】
前記主記録領域と副記録領域は、前記第一のディスク状記録媒体の複数のトラックにおいて交互に配置され、互いに所定の位置関係を有することを特徴とする請求項２７に記載の情報記録再生方法。
【請求項２９】
前記制御ステップは、前記第一のディスク状記録媒体の物理的な記録位置と同様の前記第二のディスク状記録媒体における記録位置に、前記コピーすべき情報データを記録することができない場合、前記第二のディスク状記録媒体における他の記録位置に、前記コピーすべき情報データを記録するよう前記外部機器を制御することを特徴とする請求項１８に記載の情報記録再生方法。
【請求項３０】
前記制御ステップは、前記第二のディスク状記録媒体におけるデータの記録状態を検出し、この第二のディスク状記録媒体における情報データの記録状態に基づいて、前記第一のディスク状記録媒体の物理的な記録位置と同様の前記第二のディスク状記録媒体における記録位置に、前記コピーすべき情報データを記録することができるか否かを判別することを特徴とする請求項１８〜２９の何れか１項に記載の情報記録再生方法。
【請求項３１】
前記第二のディスク状記録媒体における情報データの記録状態に関する情報を前記外部機器から取得する情報取得ステップを備えることを特徴とする請求項３０に記載の情報記録再生方法。
【請求項３２】
第一のディスク状記録媒体に対して、複数のコンテンツの情報データの記録と再生とを行う記録再生手段と、前記第一のディスク状記録媒体に記録されている情報データの出力先である外部機器とを制御する制御ステップと、
前記制御ステップによる前記記録再生手段の制御により、前記第一のディスク状記録媒体から再生された情報データを、前記外部機器により第二のディスク状記録媒体に記録すべく、前記外部機器に対して前記再生された情報データを出力する情報出力ステップとを備え、
前記制御ステップは、前記第一のディスク状記録媒体に記録された複数のコンテンツのうち、前記複数のコンテンツの再生手順を示す管理情報にて指定されたコンテンツの情報データを、前記外部機器に出力して前記第二のディスク状記録媒体に記録するに際し、前記管理情報にて指定されたコンテンツの情報データが記録されている前記第一のディスク状記録媒体の物理的な記録位置と同様の前記第二のディスク状記録媒体における記録位置に、前記管理情報にて指定されたコンテンツの情報データを記録するよう、前記記録再生手段と前記外部機器とを制御することを特徴とする情報記録再生方法。
【請求項３３】
第一のディスク状記録媒体に対して、複数のコンテンツの情報データの記録と再生とを行う記録再生手段と、前記第一のディスク状記録媒体に記録されている情報データの出力先である外部機器とを制御する制御ステップと、
前記制御ステップによる前記記録再生手段の制御により、前記第一のディスク状記録媒体から再生された情報データを、前記外部機器により第二のディスク状記録媒体に記録すべく、前記外部機器に対して前記再生された情報データを出力する情報出力ステップとを備え、
前記制御ステップは、前記第一のディスク状記録媒体に記録された複数のコンテンツのうち、前記複数のコンテンツの再生手順を示す管理情報にて指定されたコンテンツの情報データを、前記外部機器に出力して前記第二のディスク状記録媒体に記録するに際し、前記管理情報にて指定された複数のコンテンツの情報データの、前記第一のディスク状記録媒体における相対的な記録位置を保持したまま、前記管理情報にて指定された複数のコンテンツの情報データを、前記第二のディスク状記録媒体に記録するよう、前記記録再生手段と前記外部機器とを制御することを特徴とする情報記録再生方法。
【請求項３４】
第一のディスク状記録媒体に対して情報データの記録と再生とを行う記録再生手段と、前記第一のディスク状記録媒体に記録されている情報データの出力先である外部機器とを制御する制御ステップと、
前記制御ステップによる前記記録再生手段の制御により、前記第一のディスク状記録媒体から再生された情報データを、前記外部機器により第二のディスク状記録媒体に記録すべく、前記外部機器に対して前記再生された情報データを出力する情報出力ステップとをコンピュータに実行させ、
前記制御ステップは、前記情報出力ステップにより、前記第一のディスク状記録媒体に記録された情報データを前記外部機器に出力して、前記第二のディスク状記録媒体にコピーするに際し、前記コピーすべき情報データが記録されている前記第一のディスク状記録媒体の物理的な記録位置と同様の前記第二のディスク状記録媒体における記録位置に、前記コピーすべき情報データを記録するよう、前記記録再生手段と前記外部機器とを制御することを特徴とするコンピュータプログラム。
【請求項３５】
第一のディスク状記録媒体に対して、複数のコンテンツの情報データの記録と再生とを行う記録再生手段と、前記第一のディスク状記録媒体に記録されている情報データの出力先である外部機器とを制御する制御ステップと、
前記制御ステップによる前記記録再生手段の制御により、前記第一のディスク状記録媒体から再生された情報データを、前記外部機器により第二のディスク状記録媒体に記録すべく、前記外部機器に対して前記再生された情報データを出力する情報出力ステップとをコンピュータに実行させ、
前記制御ステップは、前記第一のディスク状記録媒体に記録された複数のコンテンツのうち、前記複数のコンテンツの再生手順を示す管理情報にて指定されたコンテンツの情報データを、前記外部機器に出力して前記第二のディスク状記録媒体に記録するに際し、前記管理情報にて指定されたコンテンツの情報データが記録されている前記第一のディスク状記録媒体の物理的な記録位置と同様の前記第二のディスク状記録媒体における記録位置に、前記管理情報にて指定されたコンテンツの情報データを記録するよう、前記記録再生手段と前記外部機器とを制御することを特徴とするコンピュータプログラム。
【請求項３６】
第一のディスク状記録媒体に対して、複数のコンテンツの情報データの記録と再生とを行う記録再生手段と、前記第一のディスク状記録媒体に記録されている情報データの出力先である外部機器とを制御する制御ステップと、
前記制御ステップによる前記記録再生手段の制御により、前記第一のディスク状記録媒体から再生された情報データを、前記外部機器により第二のディスク状記録媒体に記録すべく、前記外部機器に対して前記再生された情報データを出力する情報出力ステップとをコンピュータに実行させ、
前記制御ステップは、前記第一のディスク状記録媒体に記録された複数のコンテンツのうち、前記複数のコンテンツの再生手順を示す管理情報にて指定されたコンテンツの情報データを、前記外部機器に出力して前記第二のディスク状記録媒体に記録するに際し、前記管理情報にて指定された複数のコンテンツの情報データの、前記第一のディスク状記録媒体における相対的な記録位置を保持したまま、前記管理情報にて指定された複数のコンテンツの情報データを、前記第二のディスク状記録媒体に記録するよう、前記記録再生手段と前記外部機器とを制御することを特徴とするコンピュータプログラム。
【請求項３７】
前記請求項３４〜３６の何れか１項に記載のコンピュータプログラムを記録したことを特徴とするコンピュータ読み取り可能な記録媒体。
【請求項３８】
第一のディスク状記録媒体に対して情報データの記録と再生とを行う記録再生手段と、
前記記録再生手段により再生された情報データを、外部機器により第二のディスク状記録媒体に記録すべく、前記外部機器に対して前記再生された情報データを出力する情報出力手段と、
前記情報出力手段により前記情報データを出力するに際し、出力すべき情報データが前記第一のディスク状記録媒体から再生されるように前記記録再生手段を制御すると共に、前記出力すべき情報データが記録されている前記第一のディスク状記録媒体の物理的な記録位置と、前記第二のディスク状記録媒体の物理的な記録位置とが対応するように前記外部機器を制御する制御手段とを備えることを特徴とする記録再生装置。
【発明の詳細な説明】
【技術分野】
【０００１】
本発明は、記録再生装置、情報記録再生システム、情報記録再生方法、コンピュータプログラム、及びコンピュータ読み取り可能な記録媒体に関し、特に、ディスク状記録媒体に記録された情報データを、他のディスク状記録媒体に記録するために用いて好適なものである。
【背景技術】
【０００２】
近年、磁気テープに代わり、ディスク状記録媒体に対して画像データや音声データなどを圧縮して記録する技術が開発されており、かかる技術に関しては、例えば、特許文献１に記載されている。かかる特許文献１では、アフレコ記録用の領域を予めディスク上に確保する技術が開示されている。
また、この様にディスク状記録媒体に記録されたデータを他のディスク状記録媒体に記録する、ディスク間のコピーに関する技術がある。このようなディスク間のコピーに関する技術として従来から、コピー元のディスクに記録されている複数のコンテンツを選択的に抜き取り、抜き取った複数のコンテンツと、これらの管理情報とをコピー先のディスクに連続的にコピーする技術が知られている（例えば、特許文献２を参照）。また、同様に、複数のファイルを含むフォルダを複数選択し、選択した複数のフォルダを別のディスクにコピーする方法も考えられている。
【０００３】
【特許文献１】特開平１１−２５９９９２号公報
【特許文献２】特開２００３−１０００１６号公報
【発明の開示】
【発明が解決しようとする課題】
【０００４】
前述の様に、ディスク状記録媒体に対して記録された画像データや音声データなどを再生する場合、ディスク上での物理的な記録位置によってはリアルタイムに再生できなくなる恐れがある。
しかしながら、従来の技術では、あるディスクに記録されているデータを他のディスクにコピーする場合に、この様な再生時の問題を考慮しておらず、複数のコンテンツを連続的に再生しようとした場合、各コンテンツのつなぎ目で待ち時間が発生したりするなど、コピー元のディスク状記録媒体の再生状態とは異なる再生結果となってしまう問題点があった。
【０００５】
本発明は、このような問題点に鑑みてなされたものであり、第１のディスク状記録媒体に記録された情報を第２のディスク状記録媒体にコピーした際に、コピーした情報が前記第２のディスク状記録媒体で適切に再生されるようにすることを目的とする。
【課題を解決するための手段】
【０００６】
本発明の記録再生装置は、第一のディスク状記録媒体に対して情報データの記録と再生とを行う記録再生手段と、前記第一のディスク状記録媒体から再生された情報データを、外部機器により第二のディスク状記録媒体に記録すべく、前記外部機器に対して前記再生された情報データを出力する外部インターフェイスと、前記第一のディスク状記録媒体に記録された情報データを前記外部機器に出力して、前記第二のディスク状記録媒体にコピーするコピーモードにおいて、前記コピーすべき情報データが記録されている前記第一のディスク状記録媒体の物理的な記録位置と同様の前記第二のディスク状記録媒体における記録位置に、前記コピーすべき情報データを記録するよう、前記記録再生手段と前記外部機器とを制御する制御手段とを備えることを特徴とする。
また、本発明の他の特徴とするところは、第一のディスク状記録媒体に対して、複数のコンテンツの情報データの記録と再生とを行う記録再生手段と、前記第一のディスク状記録媒体から再生された情報データを、外部機器により第二のディスク状記録媒体に記録すべく、前記外部機器に対して前記再生された情報データを出力する外部インターフェイスと、前記第一のディスク状記録媒体に記録された複数のコンテンツのうち、前記複数のコンテンツの再生手順を示す管理情報にて指定されたコンテンツの情報データを、前記外部機器に出力して前記第二のディスク状記録媒体にコピーするコピーモードにおいて、前記管理情報にて指定されたコンテンツの情報データが記録されている前記第一のディスク状記録媒体の物理的な記録位置と同様の前記第二のディスク状記録媒体における記録位置に、前記管理情報にて指定されたコンテンツの情報データを記録するよう、前記記録再生手段と前記外部機器とを制御する制御手段とを備えることを特徴とする。
また、本発明のその他の特徴とするところは、第一のディスク状記録媒体に対して、複数のコンテンツの情報データの記録と再生とを行う記録再生手段と、前記第一のディスク状記録媒体から再生された情報データを、外部機器により第二のディスク状記録媒体に記録すべく、前記外部機器に対して前記再生された情報データを出力する外部インターフェイスと、前記第一のディスク状記録媒体に記録された複数のコンテンツのうち、前記複数のコンテンツの再生手順を示す管理情報にて指定されたコンテンツの情報データを、前記外部機器に出力して前記第二のディスク状記録媒体にコピーするコピーモードにおいて、前記管理情報にて指定された複数のコンテンツの情報データの、前記第一のディスク状記録媒体における相対的な記録位置を保持したまま、前記管理情報にて指定された複数のコンテンツの情報データを、前記第二のディスク状記録媒体に記録するよう、前記記録再生手段と前記外部機器とを制御する制御手段とを備えることを特徴とする。
本発明の情報記録再生システムは、前記何れかに記載の記録再生装置と、前記記録再生装置から出力された情報データを、前記記録再生装置による制御に従って、前記第二のディスク状記録媒体に記録する第２の記録再生装置とを備えることを特徴とする。
【０００７】
本発明の情報記録再生方法は、第一のディスク状記録媒体に対して情報データの記録と再生とを行う記録再生手段と、前記第一のディスク状記録媒体に記録されている情報データの出力先である外部機器とを制御する制御ステップと、前記制御ステップによる前記記録再生手段の制御により、前記第一のディスク状記録媒体から再生された情報データを、前記外部機器により第二のディスク状記録媒体に記録すべく、前記外部機器に対して前記再生された情報データを出力する情報出力ステップとを備え、前記制御ステップは、前記情報出力ステップにより、前記第一のディスク状記録媒体に記録された情報データを前記外部機器に出力して、前記第二のディスク状記録媒体にコピーするに際し、前記コピーすべき情報データが記録されている前記第一のディスク状記録媒体の物理的な記録位置と同様の前記第二のディスク状記録媒体における記録位置に、前記コピーすべき情報データを記録するよう、前記記録再生手段と前記外部機器とを制御することを特徴とする。
また、本発明の他の特徴とするところは、第一のディスク状記録媒体に対して、複数のコンテンツの情報データの記録と再生とを行う記録再生手段と、前記第一のディスク状記録媒体に記録されている情報データの出力先である外部機器とを制御する制御ステップと、前記制御ステップによる前記記録再生手段の制御により、前記第一のディスク状記録媒体から再生された情報データを、前記外部機器により第二のディスク状記録媒体に記録すべく、前記外部機器に対して前記再生された情報データを出力する情報出力ステップとを備え、前記制御ステップは、前記第一のディスク状記録媒体に記録された複数のコンテンツのうち、前記複数のコンテンツの再生手順を示す管理情報にて指定されたコンテンツの情報データを、前記外部機器に出力して前記第二のディスク状記録媒体に記録するに際し、前記管理情報にて指定されたコンテンツの情報データが記録されている前記第一のディスク状記録媒体の物理的な記録位置と同様の前記第二のディスク状記録媒体における記録位置に、前記管理情報にて指定されたコンテンツの情報データを記録するよう、前記記録再生手段と前記外部機器とを制御することを特徴とする。
また、本発明のその他の特徴とするところは、第一のディスク状記録媒体に対して、複数のコンテンツの情報データの記録と再生とを行う記録再生手段と、前記第一のディスク状記録媒体に記録されている情報データの出力先である外部機器とを制御する制御ステップと、前記制御ステップによる前記記録再生手段の制御により、前記第一のディスク状記録媒体から再生された情報データを、前記外部機器により第二のディスク状記録媒体に記録すべく、前記外部機器に対して前記再生された情報データを出力する情報出力ステップとを備え、前記制御ステップは、前記第一のディスク状記録媒体に記録された複数のコンテンツのうち、前記複数のコンテンツの再生手順を示す管理情報にて指定されたコンテンツの情報データを、前記外部機器に出力して前記第二のディスク状記録媒体に記録するに際し、前記管理情報にて指定された複数のコンテンツの情報データの、前記第一のディスク状記録媒体における相対的な記録位置を保持したまま、前記管理情報にて指定された複数のコンテンツの情報データを、前記第二のディスク状記録媒体に記録するよう、前記記録再生手段と前記外部機器とを制御することを特徴とする。
【０００８】
本発明のコンピュータプログラムは、第一のディスク状記録媒体に対して情報データの記録と再生とを行う記録再生手段と、前記第一のディスク状記録媒体に記録されている情報データの出力先である外部機器とを制御する制御ステップと、前記制御ステップによる前記記録再生手段の制御により、前記第一のディスク状記録媒体から再生された情報データを、前記外部機器により第二のディスク状記録媒体に記録すべく、前記外部機器に対して前記再生された情報データを出力する情報出力ステップとをコンピュータに実行させ、前記制御ステップは、前記情報出力ステップにより、前記第一のディスク状記録媒体に記録された情報データを前記外部機器に出力して、前記第二のディスク状記録媒体にコピーするに際し、前記コピーすべき情報データが記録されている前記第一のディスク状記録媒体の物理的な記録位置と同様の前記第二のディスク状記録媒体における記録位置に、前記コピーすべき情報データを記録するよう、前記記録再生手段と前記外部機器とを制御することを特徴とする。
また、本発明の他の特徴とするところは、第一のディスク状記録媒体に対して、複数のコンテンツの情報データの記録と再生とを行う記録再生手段と、前記第一のディスク状記録媒体に記録されている情報データの出力先である外部機器とを制御する制御ステップと、前記制御ステップによる前記記録再生手段の制御により、前記第一のディスク状記録媒体から再生された情報データを、前記外部機器により第二のディスク状記録媒体に記録すべく、前記外部機器に対して前記再生された情報データを出力する情報出力ステップとをコンピュータに実行させ、前記制御ステップは、前記第一のディスク状記録媒体に記録された複数のコンテンツのうち、前記複数のコンテンツの再生手順を示す管理情報にて指定されたコンテンツの情報データを、前記外部機器に出力して前記第二のディスク状記録媒体に記録するに際し、前記管理情報にて指定されたコンテンツの情報データが記録されている前記第一のディスク状記録媒体の物理的な記録位置と同様の前記第二のディスク状記録媒体における記録位置に、前記管理情報にて指定されたコンテンツの情報データを記録するよう、前記記録再生手段と前記外部機器とを制御することを特徴とする。
また、本発明のその他の特徴とするところは、第一のディスク状記録媒体に対して、複数のコンテンツの情報データの記録と再生とを行う記録再生手段と、前記第一のディスク状記録媒体に記録されている情報データの出力先である外部機器とを制御する制御ステップと、前記制御ステップによる前記記録再生手段の制御により、前記第一のディスク状記録媒体から再生された情報データを、前記外部機器により第二のディスク状記録媒体に記録すべく、前記外部機器に対して前記再生された情報データを出力する情報出力ステップとをコンピュータに実行させ、前記制御ステップは、前記第一のディスク状記録媒体に記録された複数のコンテンツのうち、前記複数のコンテンツの再生手順を示す管理情報にて指定されたコンテンツの情報データを、前記外部機器に出力して前記第二のディスク状記録媒体に記録するに際し、前記管理情報にて指定された複数のコンテンツの情報データの、前記第一のディスク状記録媒体における相対的な記録位置を保持したまま、前記管理情報にて指定された複数のコンテンツの情報データを、前記第二のディスク状記録媒体に記録するよう、前記記録再生手段と前記外部機器とを制御することを特徴とする。
本発明のコンピュータ読み取り可能な記録媒体は、前記何れかに記載のコンピュータプログラムを記録したことを特徴とする。
【発明の効果】
【０００９】
本発明によれば、第一のディスク状記録媒体に記録された情報データを前記外部機器に出力して、第二のディスク状記録媒体にコピーするに際し、前記コピーすべき情報データが記録されている前記第一のディスク状記録媒体の物理的な記録位置と同様の前記第二のディスク状記録媒体における記録位置に、前記コピーすべき情報データを記録するようにしたので、コピー元の第一のディスク状記録媒体と同等の再生結果を、コピー先の第二のディスク状記録媒体で得ることが可能となる。
【発明を実施するための最良の形態】
【００１０】
以下、図面を参照しながら、本発明の一実施形態に関して説明する。
図１は、本発明の実施形態を示し、記録再生装置の構成の一例を示すブロック図である。なお、本実施形態では、記録再生装置が、カメラ一体型光ディスク記録再生装置の場合を例に挙げて説明する。
図１において、カメラブロック１６は、撮像用のレンズや、そのレンズを駆動させるモータ、およびＣＣＤ（charge-coupled device）などから構成される。このカメラブロック１６は、撮影した画像信号をディジタルビデオデータに変換し、圧縮／伸長処理部１４のビデオ処理部１２に出力する。
オーディオ入力ブロック１７は、集音用マイクロフォンなどから構成される。このオーディオ入力ブロック１７は、集音用マイクロフォンで集音したオーディオ信号を、ディジタルオーディオデータに変換し、圧縮／伸長処理部１４のオーディオ処理部１３に出力する。
【００１１】
ビデオ処理部１２は、カメラブロック１６から供給されてきたディジタルビデオデータに対して、ＭＰＥＧ等の信号圧縮フォーマットに基づいて、ＤＣＴ（離散コサイン変換）処理や、量子化処理などを施す。そして、このような処理によって圧縮したディジタルビデオデータを多重化処理部１１に出力する。また、ビデオ処理部１２は、多重化処理部１１から供給されてきたディジタルビデオデータを、ＭＰＥＧ等のフォーマットに基づいて伸長し、伸長したディジタルビデオデータをビデオ／オーディオエンコーダ２０に出力する。
【００１２】
オーディオ処理部１３は、オーディオ入力ブロック１７から供給されてきたディジタルオーディオデータを、ＭＰＥＧオーディオ、ドルビーディジタル、またはリニアＰＣＭなどのフォーマットに基づいて圧縮する。そして、圧縮したオーディオデータを多重化処理部１１に出力する。また、オーディオ処理部１３は、多重化処理部１１から供給されてきたディジタルオーディオデータを伸長し、伸長したオーディオデータをビデオ／オーディオエンコーダ２０に出力する。
ビデオ／オーディオエンコーダ２０は、ＯＳＤ（オンスクリーンディスプレイ）制御部２１を含む。このビデオ／オーディオエンコーダ２０は、ビデオ処理部１２から供給されてきたディジタルビデオデータをエンコードする。そして、ＯＳＤ制御部２１により発生させた、ユーザへの各種表示（文字やアイコン等）情報を、エンコードしたディジタルビデオデータに付加し、液晶パネル１９に出力する。また、ビデオ／オーディオエンコーダ２０は、オーディオ処理部１３から供給されてきたディジタルオーディオデータをエンコード（符号化）し、スピーカ１８に出力する。
【００１３】
多重化処理部１１は、ビデオ処理部１２から供給されてきたディジタルビデオデータ、およびオーディオ処理部１３から供給されてきたディジタルオーディオデータを多重化処理し、この多重化処理により取得したミキシングデータをディスク信号処理部７に出力する。また、多重化処理部１１は、ディスク信号処理部７から供給されてきたディジタルデータを、ディジタルビデオデータおよびディジタルオーディオデータに分離する、そして、ディジタルビデオデータをビデオ処理部１２に、ディジタルオーディオデータをオーディオ処理部１３にそれぞれ出力する。
【００１４】
操作部１０のユーザの操作により、録画が指示された場合、ディスク信号処理部７は、システム制御部（マイクロコンピュータ）９の制御に従って、圧縮／伸長処理部１４の多重化処理部１１から供給されてきたミキシングデータに、ディスク状記録媒体（以下、ディスクと称する）１上の記録位置（ブロックナンバ）、コンテンツのタイトル、複数のコンテンツを選択的に且つ順序付けて再生するための管理ファイル（プレイリスト）等の管理情報、及び所定のエラー訂正ブロックを付加し、アナログフロントエンド６に出力する。以下の説明では、このようにしてディスク信号処理部７からアナログフロントエンド６に出力されるデータを、ディスク記録ストリームと称する。
また、操作部１０のユーザの操作により、外部からの入力信号を記録する指示が与えられている場合、ディスク信号処理部７は、システム制御部９の制御に従って、外部デジタルインターフェースブロック１５から供給されるデータをアナログフロントエンド６に出力する。
さらに、操作部１０のユーザの操作により、再生が指示された場合、ディスク信号処理部７は、アナログフロントエンド６から供給されてきたディスク再生ストリームを復調し、復調したディスク再生ストリームに対して、所定のエラー訂正、およびデスクランブルなどを施す。そして、このようにして得られたディジタルデータを、圧縮／伸長処理部１４、及び外部デジタルインターフェースブロック１５に出力すると共に、前記管理情報を分離して、システム制御部９に出力する。
【００１５】
外部デジタルインターフェースブロック１５は、ＵＳＢやＩＥＥＥ１３９４等に従ってデータを送受信するブロックであり、システム制御部９からの指示により、外部機器との間で、映像・音声信号及び制御コマンド等の入出力を行う。
また、ディスク信号処理部７は、アナログフロントエンド６から供給されてきたトラッキングエラー信号に基づいて、スピンドルモータ４、光学ヘッド３、およびキャリッジモータ２を制御するためのサーボ系信号を生成し、そのサーボ系信号をモータアンプ５に出力する。
【００１６】
アナログフロントエンド６は、システム制御部９の制御に基づいて、ディスク信号処理部７から供給されるディスク記録ストリームをアナログ変換し、増幅などの処理を施した後に、アナログ変換したディスク記録ストリームを光学ヘッド３に出力するとともに、光学ヘッド３におけるレーザーの発光を制御する。
また、アナログフロントエンド６は、ディスク１に記録されているデータを読み出すときに、光学ヘッド３から供給された、レーザーの反射光に対応する信号を増幅する。そして、増幅した信号をディジタル変換した後、ディスク再生ストリームとしてディスク信号処理部７に出力する。
また、アナログフロントエンド６は、光学ヘッド３から供給された、反射光の強さに対応する信号からトラッキングエラー信号などを生成する。そして、生成したトラッキングエラー信号などをディジタル変換してディスク信号処理部７に出力する。
【００１７】
モータアンプ５は、ディスク信号処理部７から供給されるサーボ系信号に基づいて、スピンドル制御信号、フォーカストラッキング制御信号、及びキャリッジ制御信号を生成し、それらをスピンドルモータ４、光学ヘッド３、およびキャリッジモータ２のそれぞれに出力して各部を制御する。
スピンドルモータ４は、モータアンプ５から供給されるスピンドル制御信号に基づいて、装着されたディスク１を所定の回転速度で回転させる。
【００１８】
光学ヘッド３は、モータアンプ５から供給されるフォーカストラッキング制御信号、およびアナログフロントエンド６からの制御信号に基づいて、照射部（不図示）からディスク１の所定の位置にレーザーを照射する。また、光学ヘッド３は、照射部から照射され、ディスク１の表面で反射されたレーザー光を受光し、受光したレーザー光に基づいて、ディスク１のピットを読み取り、反射されたレーザー光の強さに対応する信号をアナログフロントエンド６に出力する。
キャリッジモータ２は、ディスク１の中心と円周とを結ぶ直線上の所定の位置に光学ヘッド３を移動させ、光学ヘッド３がディスク１の所定のピットトラックにレーザーを照射し、ディスク１に記録されているデータを読み取ることができるようにする。
【００１９】
操作部１０は、カメラ系の操作に係わる各種スイッチ（[ZOOM]key及び[FOCUS]key等）類から構成されるカメラ系操作部と、再生系及び装置全体に関する各種スイッチ（[UP]key、[DOWN]key、[MENU]key、［SET］key、[PLAY]key、[FF/REW]key、[STOP]key、及び[START/STOP]key等）類から構成される再生系操作部と、本体の電源モード（カメラ・再生・オフ）を選択するための電源モードＳＷ部とを備えて構成され、ユーザからの指示をシステム制御部９に出力する。
システム制御部９は、各種機能を総合的に制御するマイクロコンピュータ等から構成され、操作部１０から供給される、ユーザからの指示に対応する信号に基づいて、アナログフロントエンド６、ディスク信号処理部７、圧縮／伸長処理部１４、外部デジタルインターフェースブロック１５、およびビデオ／オーディオエンコーダ２０を含む、カメラ一体型光ディスク記録再生装置の全体の動作を制御する。
【００２０】
次に、この様な図１のカメラ一体型光ディスク記録再生装置を用いて、記録済みのディスクの一部を他のディスクにコピーする際の動作に関して、以下説明する。
図８は、二つのディスクレコーダ（記録再生装置）を接続して構成したシステムの構成の一例を示すブロック図である。図８において、１００及び１０１は、それぞれ、図１に示した記録再生装置と同様の構成を持つディスクレコーダであり、これら二つのディスクレコーダ１００、１０１の外部デジタルインターフェースブロック１５同士をケーブルＣにて接続している。
図８に示した例では、ディスクレコーダ１００が再生側の装置で、ディスクレコーダ１０１が記録側の装置であるとする。そして、本実施形態では、以下に説明するように、再生側の装置であるディスクレコーダ１００のシステム制御部９により、記録側の装置であるディスクレコーダ１０１のシステム制御部９及び各部を制御し、ディスクレコーダ１００により再生したデータをディスクレコーダ１０１により他のディスクにコピーするようにしている。
【００２１】
図２は、コピー元のディスク１ａの記録内容の一例を概念的に示したイメージ図である。ディスク１ａの同心円上に、２１個のブロックＢ０〜Ｂ２０が定義されており、最外周にあるブロックＢ０には、複数のコンテンツを選択的に且つ順序付けて再生するための管理ファイル（プレイリスト）が記録されている。ブロックＢ０よりも内周側にあるブロックＢ１〜Ｂ２０（ブロックＢ２０が最内周）には、各コンテンツや、そのコンテンツのタイトルや、そのコンテンツの記録位置に関する情報等が記録されている。
【００２２】
図３は、以上のようにしてディスク１ａに設けられている各ブロックＢ０〜Ｂ２０における、記録内容と記録配置との一例を概念的に示したイメージ図である。
図３に示すように、各ブロックＢ０〜Ｂ２０は、それぞれ第１〜第６セクター（図中セクター０〜セクター５）により６つに分割されている。
まず、ブロックＢ０に関して説明すると、第１セクター（セクター０）には、ブロックナンバ（Ｂｌｏｃｋ Ｎｏ．）と、プレイリスト属性とが記録されている。第２〜第６セクター（セクター１〜セクター５）には、プレイリストのタイトルと、選択されたコンテンツナンバ（コンテンツＮｏ．）と、コンテンツの再生順序とが記録されている。
【００２３】
また、ブロックＢ１〜Ｂ２０に関して説明すると、第１セクター（セクター０）には、ブロックナンバ（Ｂｌｏｃｋ Ｎｏ．）と、コンテンツのタイトルと、種々の管理情報とが記録されている。そして、ブロックＢ１の第２〜第４セクター（セクター１〜セクター３）には、映像記録領域が、第５セクター（セクター４）には、音声記録領域が、第６セクター（セクター５）には、アフレコ記録領域が、それぞれ定義されており、それぞれの領域に対応する信号が記録される。このアフレコ記録領域は、ディスク１ａに対して画像や音声などを一度記録した後に、アフレコ音声を追加して記録する際に、そのアフレコ音声のデータを記録するための領域として用いる。また、前記各セクターは、各ブロックＢ０〜Ｂ２０内において、物理的な記録位置の相関関係が保たれている。なお、各ブロックＢ１〜Ｂ２０において、映像記録領域及び音声記憶領域と、アフレコ記録領域とが交互に配置されるようにするのが好ましい。
【００２４】
次に、ディスク１ａに記録されているデータの一部分を、他のディスクにコピーする際の制御動作を説明する。
図７は、コピー元のディスク１ａのデータをコピー先のディスクにコピーする際の、再生側の装置であるディスクレコーダ（図１に示した記録再生装置）１００のシステム制御部９の制御動作の一例を示すフローチャートである。また、図６は、コピー元のディスク１ａのデータをコピー先のディスクにコピーする際に、再生側の装置であるディスクレコーダ（図１に示した記録再生装置）１００の液晶パネル１９上に表示されるＵＩ（ユーザインターフェイス）画面の一例を示している。また、図４及び図５は、ディスク１ａのデータのコピーを実行した後における、コピー先のディスクの記録内容の一例を概念的に示したイメージ図である。
【００２５】
まず、ステップＳ７１１で処理を開始する。なお、ここでは、再生側のディスクレコーダ（カメラ一体型光ディスク記録再生装置）１００が再生モードで起動されており、再生側のディスクレコーダ１００には、図２に示したコピー元のディスク１ａが装着されているものとする。
次に、ステップＳ７１２において、操作部１０からのキー入力を待つ。キー入力を検出したら、ステップＳ７１３において、入力されたキーが、メニューキー（［MENU］key）であるか否かを検出する。そして、入力されたキーがメニューキー（［MENU］key）であれば、ステップＳ７１５に進む。一方、メニューキー（［MENU］key）でなければステップＳ７１４に進み、他の処理を行う。なお、他の処理に関しては、本発明とは関係ないので説明を省略する。
【００２６】
メニューキー（［MENU］key）が入力されると、ステップＳ７１５において、ビデオ／オーディオエンコーダ２０を制御して、液晶パネル１９上に、メニューＵＩ６０１を表示させる。なお、以下の説明においても、このステップＳ７１５と同様に、液晶パネル１９上にＵＩなどを表示させるようにする動作は、システム制御部９がオーディオエンコーダ２０を制御することにより行われる。
その後、ステップＳ７１６において、操作部１０からアップキー（［UP］Key）の入力があったと判定した場合には、ステップＳ７１７に進み、メニューＵＩ６０１に表示されているメニューカーソルを上に移動してステップＳ７１６に戻る。
アップキー（［UP］Key）が入力されず、ステップＳ７１８において、操作部１０から（ダウンキー（［DOWN］Key）の入力があったと判定した場合には、ステップＳ７１９に進み、メニューＵＩ６０１に表示されているメニューカーソルを下に移動してステップＳ７１６に戻る。
【００２７】
そして、ステップＳ７２０において、操作部１０からセットキー（［SET］Key）の入力があったと判定した場合には、ステップＳ７２１に進む。一方、セットキー（［SET］Key）の入力がなければ、ステップＳ７１６に戻り、セットキー（［SET］Key）の入力があるまで、ステップＳ７１６〜Ｓ７２０を繰り返す。このように、メニューＵＩ６０１の表示中は、アップキー（［UP］key）、ダウンキー（［DOWN］key）、及びセットキー（［SET］key）以外のキー入力に関しては無効となる。
【００２８】
以上のようにしてセットキー（［SET］Key）の入力があると、ステップＳ７２１において、メニューカーソルの位置を検出し、メニューカーソルの位置が"コピー"であれば、ステップＳ７２３に進む。一方、メニューカーソルの位置が"コピー"でなければ、ステップＳ７２２に進み、他のメニュー処理を実行する。なお、他のメニュー処理に関しては、本発明とは関係ないので説明を省略する。
【００２９】
メニューカーソルの位置が"コピー"であれば、ステップＳ７２３において、コピーＵＩ６０２により、登録されている前記プレイリストをユーザに対して表示する。ここでは、あくまでもプレイリストのみを表示することにより、各コンテンツがバラバラにコピーされることを禁止し、その結果、コピー元のディスク１ａ上の記録位置や、各コンテンツ間の相関関係を維持したままコピーすることを可能としている。
【００３０】
次に、ステップＳ７２４において、操作部１０からアップキー（［UP］Key）の入力があったと判定した場合には、ステップＳ７２５に進み、コピーＵＩ６０２に表示されているメニューカーソルを上に移動してステップＳ７２４に戻る。
アップキー（［UP］Key）が入力されず、ステップＳ７２６において、操作部１０からダウンキー（［DOWN］Key）の入力があったと判定した場合には、ステップＳ７２７に進み、コピーＵＩ６０２に表示されているメニューカーソルを下に移動してステップＳ７２４に戻る。
そして、ステップＳ７２８において、操作部１０からセットキー（［SET］Key）の入力があったと判定した場合には、ステップＳ７２９に進み、その時のメニューカーソルの位置を検出し、メニューカーソルの位置が"中止"であれば、ステップＳ７６６に進み、「コピー中止」のメッセージ６０９を表示して、ステップＳ７６７に進み作業を終了する。
【００３１】
一方、メニューカーソルの位置が"中止"でなければ、ステップＳ７３０に進み、メニューカーソルの位置を検出し、メニューカーソルの位置が"実行"であれば、ステップＳ７３３に進む。一方、メニューカーソルの位置が"実行"でなければステップＳ７３１に進み、プレイリスト選択チェックボックスを反転させたコピーＵＩ６０３を表示し、ステップＳ７２４に戻る。
メニューカーソルの位置が"実行"である場合には、ステップＳ７３２に進み、選択されたプレイリストがあるか否かを検出し、何も選択されていなければ、コピーを実行することが出来ないので、ステップＳ７２４に戻る。一方、選択されたプレイリストがある場合には、ステップＳ７３３に進み、コピーが実行中であることを示すメッセージ６０５を表示する（コピーＵＩ６０４からメッセージ６０５に表示を移行する）。
次に、ステップＳ７５０において、コピー先のディスクレコーダ１０１からコピー先のディスクの空き容量情報を取得する。
次に、ステップＳ７５１において、ステップＳ７５０で取得した空き容量情報を基に、選択されたプレイリストに対応するコピー元のディスク１ａのデータを、コピー先のディスクの全く同じ位置にコピーすることが可能であるか否かを確認する。この確認の結果、全く同じ位置にデータをコピーすることが可能であればステップＳ７６０に進み、コピー開始のメッセージ６０６を表示して、ステップＳ７６１へ進む。なお、ステップＳ７５１において、全く同じ位置にデータをコピーすることが出来ないと判定した場合の処理に関しては後述する。
【００３２】
ステップＳ７６１において、選択されたプレイリストに含まれるコンテンツの記録位置情報と、各コンテンツ間の記録位置の相関関係情報とをコピー元のディスク１ａから取得する。次に、ステップＳ７６２において、コピー先のディスクレコーダ１０１に、ディスク上の記録位置を指定するための記録制御コマンドと、コピー元のディスク１ａに記録されているデータとを送信する。これにより、コピー先のディスクレコーダ１０１に対して、ディスク上の記録位置が指定される。
次に、ステップＳ７６３において、コピー先のディスクレコーダ１０１から、コピー先の作業の進捗情報を取得する。次に、ステップＳ７６４において、コピーが終了したか否かを判定する。この判定の結果、コピーが終了していなければ、ステップＳ７６３に戻り、コピーが終了するまで、ステップＳ７６３、Ｓ７６４を繰り返す。一方、ステップＳ７６４においてコピーが終了したと判定すると、ステップＳ７６５において、「コピー終了」のメッセージ６０７を表示して、ステップＳ７６７に進み、作業を終了する。
【００３３】
図４に、コピー元のディスク１ａと全く同じ位置にデータがコピーされたコピー先のディスク１ｂの記録内容の一例を概念的に示したイメージ図を示す。図４に示す例では、コピー元のディスク１ａにおける、"家族旅行"のプレイリスト、及びそのプレイリスト上で選択されているコンテンツのみを、図２に示したコピー元のディスク１ａと全く同じ記録位置にコピーしている。
【００３４】
前記ステップＳ７５１において、コピー元のディスク１ａのデータを、コピー先のディスクの全く同じ位置にコピーすることが出来ない場合には、ステップＳ７５２に進み、コピー元のディスク１ａのデータを、コピー先のディスクの空き領域に、各コンテンツ間の記録位置の相関関係を保ったままでコピーすることが可能かどうかを判定する。
図５に、コピー元のディスク１ａとコンテンツ間の記録位置の相関関係を保ったままデータがコピーされたコピー先のディスク１ｃの記録内容の一例を概念的に示したイメージ図を示す。図５に示す例では、ブロックＢ１〜Ｂ６に関しては、既に記録済みであるが、それ以外のブロックＢ７〜Ｂ２０に関しては、未記録である。したがって、コピー元のディスク１ａと全く同じ位置にデータをコピーすることは出来ないが、プレイリスト"家族旅行"に含まれる各コンテンツ間の記録位置の"相関関係"を維持したままのコピーは可能である。図５に示す例では、コピー元のディスク１ａにおける、"家族旅行"のプレイリスト及びそのプレイリスト上で選択されているコンテンツのみを、コピー元のディスク１ａと記録位置の相関関係を保ちながら、コピー元のディスク１ａとは異なる他のブロックにコピーしている。
【００３５】
以上のようにコピーが可能であると判断すると、コピー実行ＵＩ６１０の表示を行って（コピーＵＩ６０５からコピー実行ＵＩ６１０に表示を移行して）、ステップＳ７５４に進み、ユーザからの指示を待つ。
一方、ステップＳ７５２において、所望する空き領域がコピー先のディスクに無く、コピーの実行が出来ない場合には、ステップＳ７５３に進み、空き領域なしのメッセージ６０８を表示する（コピーＵＩ６０５からメッセージ６０８に表示を移行する）。そして、ステップＳ７６６に進み、「コピー中止」のメッセージ６０９を表示して、ステップＳ７６７に進み、作業を終了する。
【００３６】
前記ステップＳ７５４において、操作部１０からアップキー（［UP］Key）の入力があったと判定した場合には、ステップＳ７５５に進み、コピー実行ＵＩ６１０に表示されているメニューカーソルを上に移動してステップＳ７５４に戻る。
アップキー（［UP］Key）が入力されず、ステップＳ７５７において、操作部１０からダウンキー（［DOWN］Key）の入力があったと判定した場合には、ステップＳ７５６に進み、コピー実行ＵＩ６１０に表示されているメニューカーソルを下に移動してステップＳ７５４に戻る。
そして、ステップＳ７５８において、操作部１０からセットキー（［SET］Key）の入力があったと判定した場合には、ステップＳ７５９に進み、メニューカーソルの位置を検出し、メニューカーソルの位置が"はい"でなければステップＳ７６６に進み、「コピー中止」のメッセージ６０９を表示して、ステップＳ７６７に進み、作業を終了する。
一方、メニューカーソルの位置が"はい"であれば、ステップＳ７６０に進み、コピー開始のメッセージ６１１を表示してステップＳ７６１へ進む。以下、コピー終了までのステップＳ７６１〜Ｓ７６７までの作業に関しては、前述したのと同じである。
【００３７】
以上のように本実施形態では、コピー元のディスク１ａの最外周にあるブロックＢ０に、複数のコンテンツを選択的に且つ順序付けて再生するためのプレイリストを記録するとともに、ブロックＢ０よりも内周側にあるブロックＢ１〜Ｂ２０に、各コンテンツや、そのコンテンツのタイトルや、そのコンテンツの記録位置に関する情報等を記録しておく。そして、再生側のディスクレコーダ１００は、ユーザにより選択されたプレイリストに対応するコピー元のディスク１ａのデータを、コピー先のディスクの全く同じ位置にコピーすることが可能であるか否かを、記録側のディスクレコーダ１０１に装着されているコピー先のディスクの空き容量に基づいて確認する。この確認の結果、全く同じ位置にデータをコピーすることが可能であれば、選択されたプレイリストに含まれるコンテンツの記録位置情報と、各コンテンツ間の記録位置の相関関係情報とをコピー元のディスク１ａから取得し、記録側のディスクレコーダ１０１に、ディスク上の記録位置を指定するための記録制御コマンドと、ユーザにより選択されたプレイリストに対応するコピー元のディスク１ａのデータとを送信する。これにより、コピー元のディスク１ａとコピー先のディスク１ｂとで記録位置が全く同じになるように、コンテンツが記録される。したがって、例えば、コピー先のディスク１ｂを再生した際に、コンテンツ（主画像・主音声）とアフレコ音声がずれて再生したり、各コンテンツのつなぎ目で待ち時間が発生したりするなどの不具合が発生することなくなる。以上のように、本実施形態によれば、コピー元のディスク１ａと同じ状態でコピー先のディスク１ｂに記録されているデータを再生することが可能となる。
【００３８】
また、ユーザにより選択されたプレイリストに対応するコピー元のディスク１ａのデータを、コピー先のディスクの全く同じ位置にコピーすることが可能でない場合には、ユーザにより選択されたプレイリストに対応するコピー元のディスク１ａのデータを、コピー先のディスク１ｃの空き領域に、各コンテンツ間の記録位置の相関関係を保ったままでコピーすることが可能かどうかを確認する。この確認の結果、各コンテンツ間の記録位置の相関関係を保ったままでコピーすることが可能であれば、選択されたプレイリストに含まれるコンテンツの記録位置情報と、各コンテンツ間の記録位置の相関関係情報とをコピー元のディスク１ａから取得し、記録側のディスクレコーダ１０１に、ディスク上の記録位置を指定するための記録制御コマンドと、ユーザにより選択されたプレイリストに対応するコピー元のディスク１ａのデータとを送信する。これにより、コピー元のディスク１ａとコピー先のディスク１ｃとで記録位置の相関関係を保ちながら、コピー元のディスク１ａとは異なる他のブロックにコンテンツが記録される。したがって、コピー先のディスク１ｃの空き領域の制約を可及的に受けずに、コピー元のディスク１ａと同じ状態でコピー先のディスク１ｃに記録されているデータを再生することが可能となる。
【００３９】
以下に、本発明の諸態様を列挙する。
（第１の態様）
被写体を撮像するための撮像手段と、
前記撮像手段により取り込まれた映像信号と、音声信号と、これら映像信号及び音声信号に付随する各種の情報とを、少なくとも１つ以上のコンテンツとして第一の記録媒体（ディスク）に記録するとともに、記録したコンテンツを再生する記録再生手段と、
前記コンテンツに対してアフレコする為の記録領域にアフレコするアフレコ手段とを有するカメラ一体型ディスク記録再生装置において、
前記第一の記録媒体（ディスク）に記録されたコンテンツの内容と、そのコンテンツに対応するアフレコ領域の記録内容と、前記コンテンツ及びそのコンテンツに対応するアフレコ領域の、前記第一の記録媒体（ディスク）上の物理的な記録位置とを管理する管理手段と、
前記コンテンツの内容と、そのコンテンツに対応するアフレコ領域の記録内容とを、他のディスク記録再生装置にコピーする為のユーザインターフェイス（ＵＩ）を表示する表示手段と、
前記ユーザインターフェイス（ＵＩ）を用いてユーザにより選択されたコンテンツの内容と、前記選択されたコンテンツに対応するアフレコ領域の記録内容とが、前記第一の記録媒体（ディスク）と物理的に同じ記録位置で、前記他のディスク再生装置に装着された第二の記録媒体（ディスク）に記録されるように、前記他のディスク再生装置と前記記録再生手段とを制御する制御手段とを有することを特徴とするカメラ一体型ディスク記録再生装置。
（第２の態様）
被写体を撮像するための撮像手段と、
前記撮像手段により取り込まれた映像信号と、音声信号と、これら映像信号及び音声信号に付随する各種の情報とを、少なくとも１つ以上のコンテンツとして第一の記録媒体（ディスク）に記録するとともに、記録したコンテンツを再生する記録再生手段と、
前記コンテンツに対してアフレコする為の記録領域にアフレコするアフレコ手段とを有するカメラ一体型ディスク記録再生装置において、
前記第一の記録媒体（ディスク）に記録されたコンテンツの内容と、そのコンテンツに対応するアフレコ領域の記録内容と、前記コンテンツ及びそのコンテンツに対応するアフレコ領域の、前記第一の記録媒体（ディスク）上における物理的な記録位置の相関関係とを管理する管理手段と、
前記コンテンツの内容と、そのコンテンツに対応するアフレコ領域の記録内容とを、他のディスク記録再生装置にコピーする為のユーザインターフェイス（ＵＩ）を表示する表示手段と、
前記ユーザインターフェイス（ＵＩ）を用いてユーザにより選択されたコンテンツの内容と、前記選択されたコンテンツに対応するアフレコ領域の記録内容とが、前記コンテンツとアフレコ領域との間の、前記第一の記録媒体における物理的な記録位置の相関関係を保ちながら、前記他のディスク再生装置に装着された第二の記録媒体（ディスク）に記録されるように、前記他のディスク再生装置と前記記録再生手段とを制御する制御手段とを有することを特徴とするカメラ一体型ディスク記録再生装置。
（第３の態様）
被写体を撮像するための撮像手段と、
前記撮像手段により取り込まれた映像信号と、音声信号とを、コンテンツとして第一の記録媒体に記録するとともに、記録したコンテンツを再生する記録再生手段と、
前記第一の記録媒体に記録された複数のコンテンツを選択的に、且つ順序付けて再生するための管理ファイル（プレイリスト）を作成する管理ファイル作成手段と、
前記管理ファイル作成手段により作成された管理ファイルを、前記他のディスク記録再生装置にコピーする為のユーザインターフェイス（ＵＩ）を表示する表示手段と、
前記ユーザインターフェイス（ＵＩ）を用いてユーザにより選択された管理ファイルと、その管理ファイルにより指定される複数のコンテンツとが、各コンテンツ間の物理的な記録位置の相関関係を保ちながら、前記他のディスク記録再生装置に装着された第二の記録媒体に記録されるように、前記他のディスク再生装置と前記記録再生手段とを制御する制御手段とを備え、
前記管理ファイルは、各コンテンツのＩＤと、各コンテンツの再生順序と、各コンテンツの物理的な記録位置と、各コンテンツの記録位置の相関関係とを含むことを特徴とするカメラ一体型ディスク記録再生装置。
（第４の態様）
前記表示手段が、前記管理ファイルを表示して、前記管理ファイルにより指定される個々のコンテンツのみが、ユーザにより選択されるのを禁止することで、前記制御手段が、前記管理ファイルにより指定されるコンテンツ間の物理的な記録位置の相関関係が保たれるように、前記他のディスク再生装置と前記記録再生手段とを制御可能にしたことを特徴とする第３の態様に記載のカメラ一体型ディスク記録再生装置。
【００４０】
（本発明の他の実施形態）
上述した実施形態の機能を実現するべく各種のデバイスを動作させるように、該各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００４１】
また、この場合、前記ソフトウェアのプログラムコード自体が上述した実施形態の機能を実現することになり、そのプログラムコード自体、及びそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００４２】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【００４３】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【図面の簡単な説明】
【００４４】
【図１】本発明の実施形態を示し、記録再生装置の構成の一例を示すブロック図である。
【図２】本発明の実施形態を示し、コピー元のディスクの記録内容の一例を概念的に示したイメージ図である。
【図３】本発明の実施形態を示し、コピー元のディスクに設けられている各ブロックにおける、記録内容と記録配置との一例を概念的に示したイメージ図である。
【図４】本発明の実施形態を示し、コピー元のディスクと全く同じ位置にデータがコピーされたコピー先のディスクの記録内容の一例を概念的に示したイメージ図である。
【図５】本発明の実施形態を示し、コピー元のディスクとコンテンツ間の記録位置の相関関係を保ったままデータがコピーされたコピー先のディスクの記録内容の一例を概念的に示したイメージ図である。
【図６】本発明の実施形態を示し、コピー元のディスクのデータをコピー先のディスクにコピーする際に、再生側の装置であるディスクレコーダ（記録再生装置）の液晶パネル上に表示されるＵＩ画面の一例を示した図である。
【図７】本発明の実施形態を示し、コピー元のディスクのデータをコピー先のディスクにコピーする際の、再生側の装置であるディスクレコーダ（記録再生装置）のシステム制御部の制御動作の一例を示すフローチャートである。
【図８】本発明の実施形態を示し、二つのディスクレコーダ（記録再生装置）を接続して構成したシステムの構成の一例を示すブロック図である。
【符号の説明】
【００４５】
１  ディスク
２  キャリッジモータ
３  光学ヘッド
４  スピンドルモータ
５  モータアンプ
６  アナログフロントエンド
７  ディスク信号処理部
８  管理情報処理部
９  システム制御部（マイクロコンピュータ）
１０  操作部
１１  多重化処理部
１２  ビデオ処理部
１３  オーディオ処理部
１４  圧縮／伸長処理部
１５  外部デジタルインターフェースブロック
１６  カメラブロック
１７  オーディオ入力ブロック
１８  スピーカ
１９  液晶パネル
２０  ビデオ／オーディオエンコーダ
２１  ＯＳＤ制御部
【図１】
2005190635.tif 000003
【図２】
2005190635.tif 000004
【図３】
2005190635.tif 000005
【図４】
2005190635.tif 000006
【図５】
2005190635.tif 000007
【図６】
2005190635.tif 000008
【図７】
2005190635.tif 000009
【図８】
2005190635.tif 000010